(57)【要約】【課題】現場での施工性及び遮音性を向上させた間仕切りシステムを提供する。【解決手段】間仕切りシステム１００は、天井側に固定された上レール１と、床側に固定された下レール２と、上レール１に上端部が係止されるとともに、下レール２に下端部が支持された間仕切りパネル３と、を備え、間仕切りパネル３は、四方枠状に形成された枠体３０と、枠体３０の両面にそれぞれ設けられた表面材４６と、表面材４６間に配置された遮音部材４０と、を有することを特徴とする。【選択図】図２
2017203310.tif 000002
【特許請求の範囲】
【請求項１】
天井側に固定された上レールと、
床側に固定された下レールと、
前記上レールに上端部が係止されるとともに、前記下レールに下端部が支持された間仕切りパネルと、を備え、
該間仕切りパネルは、
四方枠状に形成された枠体と、
該枠体の両面にそれぞれ設けられた表面材と、
前記表面材間に配置された遮音部材と、を有することを特徴とする間仕切りシステム。
【請求項２】
前記遮音部材は、前記表面材の前記枠体側の面に設けられた板状の裏打ち材であることを特徴とする請求項１に記載の間仕切りシステム。
【請求項３】
前記遮音部材は、前記表面材の前記枠体側の面に設けられた制振材であることを特徴とする請求項１に記載の間仕切りシステム。
【請求項４】
前記遮音部材は、
前記表面材間に配置され、隔壁により多数の空隙部が形成された芯材と、
該芯材の前記空隙部に充填された吸音材と、を有することを特徴とする請求項１に記載の間仕切りシステム。
【請求項５】
前記上レールと前記間仕切りパネルの上端部との間の隙間には、該隙間の上下方向を塞ぐ閉塞部が設けられていることを特徴とする請求項１から４のいずれか一項に記載の間仕切りシステム。
【請求項６】
前記天井と前記上レールとの間、及び前記床と前記下レールとの間の少なくともいずれか一方には、弾性材が配置されていることを特徴とする請求項１から５のいずれか一項に記載の間仕切りシステム。
【請求項７】
天井側に固定された上レールと、
床側に固定された下レールと、
前記上レールに上端部が係止されるとともに、前記下レールに下端部が支持された間仕切りパネルと、を備え、
前記上レールと前記間仕切りパネルの上端部との間の隙間には、該隙間の上下方向を塞ぐ閉塞部が設けられていることを特徴とする間仕切りシステム。
【請求項８】
天井側に固定された上レールと、
床側に固定された下レールと、
前記上レールに上端部が係止されるとともに、前記下レールに下端部が支持された間仕切りパネルと、を備え、
前記天井と前記上レールとの間、及び前記床と前記下レールとの間の少なくともいずれか一方には、弾性材が配置されていることを特徴とする間仕切りシステム。
【発明の詳細な説明】
【技術分野】
【０００１】
本発明は、間仕切りシステムに関するものである。
【背景技術】
【０００２】
従来から、マンション等の集合住宅や戸建住宅等では、空間を区画する間仕切り壁が設置されている。このような間仕切り壁として、軽量鉄骨等で構成された鋼製下地に、石膏ボード等のボード材が固定され、さらにクロスなどの内装仕上げ材を貼ったものが広く知られている（下記特許文献１参照）。
【０００３】
一方、コンクリートブロックで構成された壁体に上下左右に間隔を有して配置された支持具と、支持具に固定され上下方向の延びる胴縁と、胴縁に固定された内壁材と、を備え、支持具にゴム状弾性体が設けられたものも提案されている（下記特許文献２参照）。壁体と内壁材との間に配置されたゴム状弾性材の減衰効果により、遮音性を有する構成とされている。
【先行技術文献】
【特許文献】
【０００４】
【特許文献１】特開２００９−１４４３５０号公報
【特許文献２】実開昭６３−５３４１４号公報
【発明の概要】
【発明が解決しようとする課題】
【０００５】
しかしながら、上記の特許文献１に記載された間仕切り壁では、軽量鉄骨を組み立てて鋼製下地を設置して、鋼製下地にボード材を固定する。また、上記の特許文献２に記載された間仕切り壁では、施工現場で、壁体に支持具を固定して、支持具に胴縁を固定して、胴縁に内壁材を固定する。いずれの場合も、施工現場で、鋼製下地や支持具、胴縁等の下地材を設置して、当該下地材に内壁材やボード材等の面材を固定するため、現場施工に時間を要するとともに、作業員等により施工精度に差が生じるという問題点がある。
【０００６】
そこで、本発明は、上記事情に鑑みてなされたものであり、現場での施工性及び遮音性を向上させた間仕切りシステムを提供する。
【課題を解決するための手段】
【０００７】
上記目的を達成するために、本発明は以下の手段を採用している。
すなわち、本発明に係る間仕切りシステムは、天井側に固定された上レールと、床側に固定された下レールと、前記上レールに上端部が係止されるとともに、前記下レールに下端部が支持された間仕切りパネルと、を備え、該間仕切りパネルは、四方枠状に形成された枠体と、該枠体の両面にそれぞれ設けられた表面材と、前記表面材間に配置された遮音部材と、を有することを特徴とする。
【０００８】
このように構成された間仕切りシステムでは、施工現場で、天井側に上レールを固定し、床側に下レールを固定する。予め工場等で間仕切りパネルを製造しておけば、間仕切りパネルを運搬してきて、間仕切りパネルの上端部を上レールに係止させ、下端部を下レールに支持させることで、間仕切りパネルが天井と床との間に設置される。よって、施工現場において、軽量鉄骨等で間仕切りの鋼製下地を組み立てる工事が省略され施工時間を短縮できるとともに、工場で製造された間仕切りパネルを使用することで施工精度を確保することができるため、現場での施工性が向上される。
さらに、枠体の両面にそれぞれ設けられた表面材の間には遮音部材が配置されているため、間仕切りパネルの遮音性が向上される。
【０００９】
また、本発明に係る間仕切りシステムでは、前記遮音部材は、前記表面材の前記枠体側の面に設けられた板状の裏打ち材であることが好ましい。
【００１０】
このように構成された間仕切りシステムでは、表面材の枠体側の面には板状の裏打ち材が設けられているため、間仕切りパネル自体の質量が増加し、遮音性が向上される。
【００１１】
また、本発明に係る間仕切りシステムでは、前記遮音部材は、前記表面材の前記枠体側の面に設けられた制振材であってもよい。
【００１２】
このように構成された間仕切りシステムでは、表面材の枠体側の面には制振材が設けられているため、制振材により振動が抑制され遮音性が向上される。
【００１３】
また、本発明に係る間仕切りシステムでは、前記遮音部材は、前記表面材間に配置され、隔壁により多数の空隙部が形成された芯材と、該芯材の前記空隙部に充填された吸音材と、を有していてもよい。
【００１４】
このように構成された間仕切りシステムでは、表面材間には隔壁により多数の空隙部が形成された芯材が配置され、芯材の空隙部には吸音材が充填されている。よって、芯材により間仕切りパネルの剛性が高められるとともに、吸音材により遮音性が向上される。
【００１５】
また、本発明に係る間仕切りシステムでは、前記上レールと前記間仕切りパネルの上端部との間の隙間には、該隙間の上下方向を塞ぐ閉塞部が設けられていてもよい。
【００１６】
このように構成された間仕切りシステムでは、上レールと間仕切りパネルの上端部との間の隙間には、隙間の上下方向を塞ぐ閉塞部が設けられているため、隙間からの音漏れが抑制され、間仕切りシステムの遮音性が向上される。
【００１７】
また、本発明に係る間仕切りシステムでは、前記天井と前記上レールとの間、及び前記床と前記下レールとの間の少なくともいずれか一方には、弾性材が配置されていてもよい。
【００１８】
このように構成された間仕切りシステムでは、天井と上レールとの間及び床と下レールとの間の少なくともいずれか一方には弾性材が配置されているため、天井と上レールとの間や床と下レールとの間に隙間が生じないため、音漏れが抑制され、間仕切りシステムの遮音性が向上される。
【００１９】
また、本発明に係る間仕切りシステムは、天井側に固定された上レールと、床側に固定された下レールと、前記上レールに上端部が係止されるとともに、前記下レールに下端部が支持された間仕切りパネルと、を備え、前記上レールと前記間仕切りパネルの上端部との間の隙間には、該隙間の上下方向を塞ぐ閉塞部が設けられていてもよい。
【００２０】
このように構成された間仕切りシステムでは、施工現場で、天井側に上レールを固定し、床側に下レールを固定する。予め工場等で間仕切りパネルを製造しておけば、間仕切りパネルを運搬してきて、間仕切りパネルの上端部を上レールに係止させ、下端部を下レールに支持させることで、間仕切りパネルが天井と床との間に設置される。よって、施工現場において、軽量鉄骨等で間仕切りの鋼製下地を組み立てる工事が省略され施工時間を短縮できるとともに、工場で製造された間仕切りパネルを使用することで施工精度を確保することができるため、現場での施工性が向上される。
さらに、上レールと間仕切りパネルの上端部との間の隙間には、隙間の上下方向を塞ぐ閉塞部が設けられているため、隙間からの音漏れが抑制され、間仕切りシステムの遮音性が向上される。
【００２１】
また、本発明に係る間仕切りシステムは、天井側に固定された上レールと、床側に固定された下レールと、前記上レールに上端部が係止されるとともに、前記下レールに下端部が支持された間仕切りパネルと、を備え、前記天井と前記上レールとの間、及び前記床と前記下レールとの間の少なくともいずれか一方には、弾性材が配置されていてもよい。
【００２２】
このように構成された間仕切りシステムでは、施工現場で、天井側に上レールを固定し、床側に下レールを固定する。予め工場等で間仕切りパネルを製造しておけば、間仕切りパネルを運搬してきて、間仕切りパネルの上端部を上レールに係止させ、下端部を下レールに支持させることで、間仕切りパネルが天井と床との間に設置される。よって、施工現場において、軽量鉄骨等で間仕切りの鋼製下地を組み立てる工事が省略され施工時間を短縮できるとともに、工場で製造された間仕切りパネルを使用することで施工精度を確保することができるため、現場での施工性が向上される。
さらに、天井と上レールとの間及び床と下レールとの間の少なくともいずれか一方には弾性材が配置されているため、天井と上レールとの間や床と下レールとの間に隙間が生じないため、音漏れが抑制され、間仕切りシステムの遮音性が向上される。
【発明の効果】
【００２３】
本発明に係る間仕切りシステムによれば、現場での施工性及び遮音性を向上させることができる。
【図面の簡単な説明】
【００２４】
【図１】本発明の一実施形態に係る間仕切りシステムの（ａ）正面図、（ｂ）芯材部分の拡大断面図である。
【図２】図１のＡ−Ａ断面図である。
【図３】本発明の一実施形態の変形例に係る間仕切りシステムをＡ−Ａに相当する箇所で切断した縦断面図である。
【発明を実施するための形態】
【００２５】
本発明の一実施形態に係る間仕切りシステムについて、図面を用いて説明する。
図１は、本発明の一実施形態に係る間仕切りシステムの（ａ）正面図、（ｂ）芯材部分の拡大断面図である。図２は、図１のＡ−Ａ断面図である。
図１及び図２に示すように、壁システム（間仕切りシステム）１００は、例えば、マンションやアパート等の集合住宅に設置され、隣接する居室等の空間Ｐ１，Ｐ２を仕切るものである。なお、壁システム１００は、戸建等の一般の住宅等にも設置可能である。
【００２６】
壁システム１００は、上レール１と、下レール２と、隣接配置された複数の間仕切りパネル３と、を備えている。
【００２７】
上レール１は、天井側に設けられ、複数の間仕切りパネル３の上側に連続して配置されている。
【００２８】
上レール１は、天井面Ｄに沿って配置され断面視矩形状に形成された上部取付部１１と、上部取付部１１の下面１１Ｂに設けられ断面視矩形状に形成された上部レール部１２と、を有している。
【００２９】
上部取付部１１及び上部レール部１２は、例えば木材や鋼材等で構成されている。上部レール部１２は、接着や不図示の固定具により上部取付部１１に固定されている。
【００３０】
上部取付部１１の上面１１Ｕには、ゴム材等で構成された弾性材１６が設けられている。弾性材１６が設けられた上部取付部１１は、ビス等の固定具１１Ｘで天井面Ｄに固定されている。弾性材１６により、天井面Ｄと上レール１との間の隙間が生じないように構成されている。
なお、上部レール部１２の下側から、上部取付部１１及び弾性材１６を貫通するように、ビス等の固定具（不図示）で、上レール１が天井面Ｄに固定される構成であってもよい。
【００３１】
また、上部取付部１１の下面１１Ｂには、上部取付部１１の延在方向に沿って、ゴム製のガスケット（閉塞部）１７が設けられている。ガスケット１７は、上部レール部１２を挟んで両側（間仕切りパネル３の厚み方向の両側）に設けられている。
【００３２】
本実施形態では、上部取付部１１の断面寸法は、例えば幅５０ｍｍ、高さ６０ｍｍとされている。なお、上部取付部１１の下面１１Ｂに凹部（不図示。以下同じ。）が設けられ、断面視矩形状の上部レール部が当該凹部に嵌め込まれて、上部レール部が上部取付部１１の下面１１Ｂから下方に突出するように設けられていてもよい。
【００３３】
下レール２は、床側に設けられ、複数の間仕切りパネル３の下側に連続して配置されている。
【００３４】
下レール２は、床面Ｆに沿って配置され断面視矩形状に形成された下部支持部２１と、下部支持部２１の上面２１Ｕに設けられ断面視矩形状に形成された下部レール部２２と、を有している。下部支持部２１及び下部レール部２２は、例えば木材や鋼材等で構成されている。
【００３５】
下部支持部２１の下面２１Ｂには、ゴム材等で構成された弾性材２６が設けられている。下レール２は、下部レール部２２の上からビス等の固定具２２Ｘで、下部支持部２１及び弾性材２６を貫通して床面Ｆに固定されている。弾性材２６により、床面Ｆと下レール２との間の隙間が生じないように構成されている。
【００３６】
本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００３７】
間仕切りパネル３は、板状に形成されている。間仕切りパネル３は、四方枠状に形成された四方枠（枠体）３０と、四方枠３０の内部に設けられた遮音部材４０と、四方枠３０の両面に設けられた表面材４６と、を有している。本実施形態では、間仕切りパネル３の寸法は、例えば幅８５０ｍｍ、高さ２４１５ｍｍ、厚さ６０ｍｍとされている。
【００３８】
四方枠３０は、上桟３１と、下桟３４と、上桟３１の端部と下桟３４の端部とを鉛直方向に連結する不図示の縦桟と、を有している。
【００３９】
上桟３１は、断面視矩形状に形成され、上面３１Ｕには下方に凹む上部凹溝３２が形成されている。上部凹溝３２は、上桟３１の延在方向に沿って形成されている。
【００４０】
上部凹溝３２には、上レール１の上部レール部１２が嵌め込まれている。上桟３１の上面３１Ｕと上部取付部１１の下面１１Ｂとの間には、隙間３１Ｓが形成されている。上レール１の上部取付部１１に設けられたガスケット１７により、隙間３１Ｓの上下方向は塞がれている。
【００４１】
下桟３４は、断面視矩形状に形成され、下面３４Ｂには上方に凹む下部凹溝３５が形成されている。下部凹溝３５は、下桟３４の延在方向に沿って形成されている。
【００４２】
下部凹溝３５の下面には、不図示の滑り材が設けられている。滑り材は、下桟３４の延在方向に離間して複数設けられている。下部凹溝３５には下レール２の下部レール部２２が嵌め込まれ、滑り材が下部レール部２２の上面に当接している。
【００４３】
遮音部材４０は、隔壁４１により多数の空隙部４１Ｓが形成されたハニカム材（芯材）４２と、ハニカム材４２の空隙部４１Ｓに充填された吸音材４３と、を有している。遮音部材４０は、例えば上桟３１、下桟３４、表面材４６で囲まれた空間全体にわたって配置されている。
【００４４】
ハニカム材４２は、例えば紙や樹脂の材料で断面視六角形のハニカム形状に形成されている。吸音材４３として、例えば発砲樹脂等により形成され、空隙部４１Ｓに隙間なく充填されている。なお、芯材は、断面視六角形のものに限られず、多数の空隙部４１Ｓが形成されていれば、断面視円形状、四角形等であってもよい。
【００４５】
表面材４６は、化粧が施された板材であり、例えばオレフィンシートが貼られた化粧版を採用することができる。
【００４６】
次に、上記の壁システム１００の施工方法について説明する。
まず、上レール１の上部取付部１１の上面１１Ｕに弾性材１６を貼付し、下レール２の下部支持部２１の下面２１Ｂに弾性材２６を貼付しておく。そして、弾性材１６が貼付された上レール１を天井面Ｄに固定具１１Ｘで固定し、弾性材２６が貼付された下レール２を床面Ｆに固定具２２Ｘで固定する。
【００４７】
次に、上レール１の上部取付部１１の下面１１Ｂに、上部レール部１２を挟んで両側にガスケット１７を取り付ける。なお、ガスケット１７は、上レール１を天井面Ｄに固定する前の段階で、上部取付部１１に取り付けておいてもよい。
【００４８】
次に、予め工場等で製造しておいた間仕切りパネル３を用意する。上レール１及び下レール２の延在方向の端部側に、間仕切りパネル３を配置する。間仕切りパネル３の上部凹溝３２及び下部凹溝３５に、それぞれ上レール１の上部レール部１２及び下レール２の下部レール部２２を嵌め込み、上レール１及び下レール２に沿って、間仕切りパネル３を所定の位置までスライドさせる。この際に、間仕切りパネル３の下端部には不図示の滑り材が設けられているため、スライドさせやすい。
【００４９】
このようにして、間仕切りパネル３は設置される。なお、上レール１と間仕切りパネル３との間の隙間３１Ｓの上下方向は、上レール１に設けられたガスケット１７により塞がれている。
【００５０】
なお、間仕切りパネル３の上面３１Ｕと上レール１の上部取付部１１の下面１１Ｂとの間の隙間３１Ｓの高さが十分にある場合には、間仕切りパネル３の上部凹溝３２に上レール１の上部レール部１２を嵌め込み、間仕切りパネル３を上方に持ち上げた後に、下部凹溝３５に下部レール部２２を嵌め込んで下方に移動させて、間仕切りパネル３を上レール１に係止及び下レール２に支持させてもよい。間仕切りパネル３を上方に持ち上げた際には、ゴム製のガスケット１７は弾性変形して圧縮されるが、間仕切りパネル３を下方に移動させた際に元の状態に戻り、隙間３１Ｓの上下方向は、ガスケット１７により塞がれる。
【００５１】
このように構成された壁システム１００では、施工現場で、天井面Ｄに弾性材１６が設けられた上レール１を固定し、床面Ｆに弾性材２６が設けられた下レール２を固定する。予め工場等で間仕切りパネル３を製造しておけば、間仕切りパネル３を運搬してきて、間仕切りパネル３の上桟３１の上部凹溝３２を上レール１に嵌合して、下桟３４の下部凹溝３５を下レール２に嵌合させれば、間仕切りパネル３が天井と床との間に設置される。よって、施工現場において、軽量鉄骨等で間仕切りの鋼製下地を組み立てる工事が省略され施工時間が短縮できるとともに、工場で製造された間仕切りパネル３を使用することで施工精度を確保することができるため、現場での施工性が向上される。
【００５２】
また、間仕切りパネル３は、四方枠３０との両側の表面材４６とで囲まれた部分には、隔壁４１により多数の空隙部４１Ｓが形成されたハニカム材４２が配置され、空隙部４１Ｓには吸音材４３が充填されている。よって、ハニカム材４２により間仕切りパネル３の剛性が高められるとともに、吸音材４３により遮音性が向上される。
【００５３】
また、上レール１と間仕切りパネル３の上端部との間の隙間３１Ｓには、隙間３１Ｓの上下方向を塞ぐガスケット１７が設けられているため、隙間３１Ｓからの音漏れが抑制され、遮音性が向上される。
【００５４】
また、天井面Ｄと上レール１との間及び床面Ｆと下レール２との間には弾性材１６，２６が配置されているため、天井面Ｄと上レール１との間及び床面Ｆと下レール２との間に隙間が生じないため、音漏れが抑制され、遮音性が向上される。
【００５５】
なお、本発明に係る間仕切りシステムは、上述した一実施形態に限定されるものではなく、本発明の要旨を逸脱しない範囲で適宜の変更や置換等が可能である。
以下に、本発明の変形例について説明するが、上述した実施形態で説明した部品や部材等と同一または同様なものについては、同一の符号を用いて説明する。
【００５６】
（変形例）
次に、上記に示す実施形態の変形例について、主に図３を用いて説明する。
上記に示す実施形態に係る壁システムでは、上レールにガスケットが設けられているが、本変形例に係る壁システムでは、上レールにシール材が設けられている。
【００５７】
図３は、本発明の一実施形態の変形例に係る間仕切りシステムをＡ−Ａに相当する箇所で切断した縦断面図である。
図３に示すように、壁システム１００Ｘでは、上レール１の上部取付部１１の下面１１Ｂと間仕切りパネル３の上桟３１の上面３１Ｕとの間の隙間３１Ｓを埋めるように、シール材１８が設けられている。
【００５８】
シール材１８は、上レール１の上部取付部１１及び間仕切りパネル３の延在方向に沿って、上部レール部１２を挟んで両側に設けられている。シール材１８は、例えばシリコーン系等で構成され、施工現場で隙間３１Ｓを埋めるように充填する。施工現場で適宜充填が可能なため、隙間３１Ｓの上下方向及び間仕切りパネル３の厚み方向を完全に埋めることができる。
【００５９】
また、表面材４６の裏面（四方枠３０側の面）には、ボード材や合板等の裏打ち材４７が設けられている。裏打ち材４７は、上端部が間仕切りパネル３の上桟３１に当接するとともに、下端部が下桟３４に当接するように配置されている。裏打ち材４７を設けることで、間仕切りパネル３の質量が増加するため、遮音性は向上される。
また、裏打ち材４７と間仕切りパネル３の上桟３１との間及び下桟３４との間に隙間があると、一般的に、当該隙間からの透過音により全体の遮音性能が低下する。本発明では、裏打ち材４７はその上端部と上桟３１との間及び下端部と下桟３４との間に隙間が生じないように配置されているため、透過音による遮音性能の低下が防止される。
なお、裏打ち材４７は一対の表面材４６の両方に設けられていることが好ましいが、一方の表面材４６のみに設けられていてもよい。
【００６０】
なお、上述した実施の形態において示した組立手順、あるいは各構成部材の諸形状や組み合わせ等は一例であって、本発明の主旨から逸脱しない範囲において設計要求等に基づき種々変更可能である。
【００６１】
例えば、上記に示す実施形態では、上レール１及び下レール２には、それぞれ上部レール部１２及び下部レール部２２が設けられ凸形状とされ、上桟３１及び下桟３４にそれぞれ上部凹溝３２及び下部凹溝３５が設けられ凹形状とされているが、本発明はこれに限られない。上レール及び下レール側に凹部が形成され、上桟及び下桟に凸部が形成された構成であってもよい。
【００６２】
また、上記に示す実施形態では、間仕切りパネル３の上下端部がそれぞれ上レール１及び下レール２にそれぞれ嵌合される構成であるが本発明はこれに限られない。間仕切りパネルの上下端部がそれぞれ上レールに係止及び下レールに支持されればよく、間仕切りパネルの上下端部をそれぞれ上レール及び下レールにビス等の固定具で固定する構成であってもよい。
【００６３】
また、上記に示す実施形態では、弾性材１６，２６は、それぞれ上部取付部１１、下部支持部２１側に設けられているが、本発明はこれに限られない。間仕切りパネル３が設置される天井面Ｄ、床面Ｆ側に、予め弾性材１６，２６を設けておいてもよい。
【００６４】
また、上記に示す実施形態では、ガスケット１７は、上レール１に設けられているが、本発明はこれに限られず、上桟３１に、上レール１と間仕切りパネル３の上端部との間の隙間３１Ｓを塞ぐように設けられていてもよい。ただし、左右方向に間仕切りパネル３が隣接配置される構成では、隣接する間仕切りパネル３間において、ガスケット１７が分断されないように、ガスケット１７を上レール１側に設ける方が、遮音性は良い。
【００６５】
また、上記に示す実施形態では、遮音部材４０はハニカム材４２と吸音材４３で構成されているが、本発明はこれに限られない。遮音部材４０として、両側の表面材４６間に、ガラス繊維で構成されたグラスウール等を配置してもよい。これによっても、低音域で１〜３ｄＢ、中高音域で３〜５ｄＢの遮音性が向上される。
【００６６】
さらに、遮音部材４０として、表面材４６の裏面に、不図示の制振材を設けてもよい。ゴム系、合金系、アスファルト系、高分子系等の制振部材を、表面材４６の裏面に貼付してもよい。あるいは、合成樹脂、天然樹脂、ゴム等の高分子材、可塑剤、効果促進剤等の補助剤、溶剤、充填材、発泡剤、着色顔料等で構成される制振塗料（塗布型制振材）を、表面材４６の裏面に塗装してもよい。これらの塗装により形成される制振コーティング層が、伸縮変形して熱エネルギーへの変換により振動を抑制することができる。また、アクリル樹脂と振動を摩擦熱に変換するための無機粒子とを主成分とする制振塗料であってもよい。これら制振部材及び制震塗料により、遮音性が向上される。
なお、制振材は一対の表面材４６の両方に設けられていることが好ましいが、一方の表面材４６のみに設けられていてもよい。
【００６７】
また、上記に示す実施形態では、間仕切りパネル３自体に遮音部材が設けられた形態、上レール１、下レール２に弾性材１６，２６が設けられて形態、上レール１にガスケット１７が設けられた形態の３形態が含まれているが、いずれか１形態あるいは２形態が含まれていればよい。さらには、弾性材１６，２６は上レール１、下レール２にそれぞれ設けられているが、弾性材は上レール１、下レール２のいずれか一方にのみ設けられていてもよい。
【符号の説明】
【００６８】
１…上レール
２…下レール
３…間仕切りパネル
１６，２６…弾性材
１７…ガスケット（閉塞部）
３０…四方枠（枠体）
３１…上桟
３１Ｓ…隙間
３２…上部凹溝
３４…下桟
３５…下部凹溝
３７…縦桟
４０…遮音部材
４１…隔壁
４２…ハニカム材（芯材）
４３…吸音材
４６…表面材
１００…壁システム（間仕切りシステム）
Ｃ…天井面
Ｆ…床面
Ｐ１，Ｐ２…空間
【図１】
2017203310.tif 000003
【図２】
2017203310.tif 000004
【図３】
2017203310.tif 000005